(57)【特許請求の範囲】
【請求項１】
上面に収納物が載置される台座部と、
前記台座部の前記上面に対して着脱自在に取り付けられるとともに開口部を有する上蓋部と、を備え、
前記収納物は、底面が平面であり、
前記上蓋部が前記台座部の前記上面に取り付けられた状態で、前記開口部から前記収納物が視認可能になるとともに、当該収納物が前記台座部と前記上蓋部により挟持され、
前記台座部は、前記上面に、前記収納物の底面に嵌合して底が平面である凹部が設けられており、前記上面における当該凹部の周囲が平面である、指輪。
【請求項２】
前記収納物が前記台座部と前記上蓋部とにより挟持された状態で、当該収納物の一部が前記開口部から突出する、請求項１に記載の指輪。
【請求項３】
前記上蓋部が前記台座部の前記上面に取り付けられた状態で、前記上面に対して垂直な方向に前記凹部を投影した形状である凸部が、前記上蓋部の表面に設けられている、請求項１または２に記載の指輪。
【請求項４】
前記上蓋部は、前記開口部の内周に複数の凹凸が設けられているとともに、前記開口部の周囲の表面に複数の凹凸が設けられている、請求項１〜３のいずれか１項に記載の指輪。
【請求項５】
前記上蓋部における前記上面と対向する面に取付爪が設けられ、前記上面に前記取付爪が係止される取付溝が設けられており、
前記取付溝は前記収納物の底面よりも小さく、前記上面における前記凹部及び前記取付溝を除いた部分が平面である、請求項１〜４のいずれか１項に記載の指輪。
【請求項６】
前記上蓋部が前記台座部の前記上面に取り付けられた状態で、前記取付爪及び前記取付溝が隠れた状態になる、請求項５に記載の指輪。
【請求項７】
前記収納物の底面及び前記凹部の底が１回対称形である、請求項１〜６のいずれか１項に記載の指輪。
【請求項８】
前記台座部の前記上面と前記凹部は、上面視の形状が相似であるとともにそれぞれの外心の位置が共通する、請求項１〜７のいずれか１項に記載の指輪。
【請求項９】
前記上面の面積が前記凹部の面積の２倍以上である、請求項８に記載の指輪。
【発明の詳細な説明】
【技術分野】
【０００１】
本発明は、収納物を交換可能な指輪に関する。
【背景技術】
【０００２】
通常、指輪は、台座に宝石等が固定されており、当該宝石等の着脱及び交換はできない構造になっている。一方、特許文献１〜５では、薬や貴重品を収納可能とした指輪が提案されており、これらの指輪では収納物を着脱及び交換することが可能である。
【先行技術文献】
【特許文献】
【０００３】
【特許文献１】実開平４−１１０５１２号公報
【特許文献２】実用新案登録第３１１１４２４号公報
【特許文献３】実用新案登録第３１５４１１９号公報
【特許文献４】米国特許出願公開第２０１２／００１１８８８号明細書
【特許文献５】米国特許第４４８８４１５号明細書
【発明の概要】
【発明が解決しようとする課題】
【０００４】
特許文献１及び２で提案されている指輪は、収納物を外部から見て鑑賞することはできない。また、特許文献３で提案されている指輪は、上蓋がレンズであるため収納物を鑑賞することはできる。しかし、当該指輪は、収納物を板状の取付用部材に接着等して取り付ける必要があるため着脱が容易ではなく、ユーザと収納物との間にレンズがあるため収納物を身近に感じることができない。特許文献４で提案されている指輪では、下側が尖った収納物を台座に設けられた貫通孔に挿入して取り付けるものであるため、取付時に収納物の下端が台座に接触等すると、収納物がはじかれ落下して紛失する危険がある。また、特許文献５で提案されている指輪では、収納物の底面を当該底面と同じ大きさの台座に載せる、または、収納物の底面を台座に設けられたバネ部材に載せた状態で、収納物を上側から台座に押し付けて取り付ける構造であるため、収納物の位置が僅かでも適切な位置からずれてしまうと、収納物がはじかれ落下して紛失する危険がある。
【０００５】
本発明は、収納物の落下を防止して容易に着脱することができるとともに、当該収納物を身近に感じることが可能な指輪を提供する。
【課題を解決するための手段】
【０００６】
上記課題を解決するために、本発明の一実施形態に係る指輪は、上面に収納物が載置される台座部と、前記台座部の前記上面に対して着脱自在に取り付けられるとともに開口部を有する上蓋部と、を備え、前記上蓋部が前記台座部の前記上面に取り付けられた状態で、前記開口部から前記収納物が視認可能になるとともに、当該収納物が前記台座部と前記上蓋部により挟持される。
【発明の効果】
【０００７】
上記構成の指輪は、台座部と上蓋部で収納物を挟持するだけで収納物を装着可能であるため、収納物を容易に着脱することができる。また、当該指輪は、開口部から収納物を直接視認することが可能であるため、ユーザは収納物を身近に感じることができる。
【図面の簡単な説明】
【０００８】
【図１】図１は、本発明の実施形態に係る指輪１及び収納物２の構成を示す斜視図である。
【図２】図２は、収納物２が台座部１１と上蓋部１２により挟持された指輪１の上面図である。
【図３】図３は、収納物２が台座部１１と上蓋部１２により挟持された指輪１の左側面図である。
【図４】図４は、収納物２が台座部１１と上蓋部１２により挟持された指輪１の右側面図である。
【発明を実施するための形態】
【０００９】
以下、図面を参照し、本発明の実施形態を詳しく説明する。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１０】
図１は、本発明の実施形態に係る指輪１及び収納物２の構成を示す斜視図である。図１に示すように、本発明の実施形態に係る指輪１は、台座部１１と、上蓋部１２と、アーム部１３を備える。収納物２は、指輪１の中石に相当して鑑賞に堪えるものであり、宝石などの無機物であってもよいし、樹脂などの有機物であってもよい。なお、図１に例示する収納物２は、底面２１が平面かつハート形の樹脂であり、底面２１から離れるほど底面２１に平行な断面積が小さくなる略半球状である。
【００１１】
図１に示すように、台座部１１の上面Ｔには、周囲よりも窪んでいるとともに収納物２の底面２１が嵌合する凹部１１１と、上蓋部１２の取付爪１２２が案内される取付溝１１２が設けられており、上面Ｔにおける凹部１１１の周囲は平面である。さらに、取付溝１１２は収納物２の底面２１よりも小さく、上面Ｔにおける凹部１１１及び取付溝１１２を除いた部分は同一の平面である。また、台座部１１の側面には、上面Ｔ側が周囲よりも窪んでいる引掛部１１３と、上蓋部１２を回動自在に連結するヒンジ部１１４が設けられている。また、上蓋部１２における台座部１１の上面Ｔと対向する裏面Ｂには、収納物２が収容される収容部１２１と、取付爪１２２が設けられており、裏面Ｂにおける収容部１２１及び取付爪１２２を除いた部分は同一の平面である。また、上蓋部１２の側面には、裏面Ｂ側が周囲よりも窪んでいる引掛部１２３と、台座部１１を回動自在に連結するヒンジ部１２４が設けられている。
【００１２】
指輪１では、凹部１１１に収納物２の底面２１が嵌め込まれることにより、台座部１１の上面Ｔに収納物２が載置される。図１に示すように、凹部１１１の底１１１１は、収納物２の底面２１と同様に平面であるため、凹部１１１に嵌め込まれた収納物２の底面２１と凹部１１１の底１１１１が当接する。特に、収納物２の底面２１の全面が、凹部１１１の底１１１１に当接する。この状態で、台座部１１の上面Ｔに対して上蓋部１２が取り付けられると、収納物２が台座部１１（特に、凹部１１１の底１１１１）と上蓋部１２で挟持され、これにより収納物２が指輪１に装着される。このとき、台座部１１の上面Ｔと上蓋部１２の裏面Ｂが平行になりかつ当接して、取付爪１２２及び取付溝１１２が隠れた状態になる（後述する図３及び図４参照）。なお、台座部１１と上蓋部１２は、少なくとも収納物２が大きく動いたり脱落したりしない程度に挟持できればよく、台座部１１及び上蓋部１２と収納物２との間に若干の隙間があってもよい。
【００１３】
上蓋部１２は、ヒンジ部１１４，１２４を軸として回動し、取付爪１２２が取付溝１１２で係止されることによって台座部１１に取り付けられる。取付爪１２２は上蓋部１２の中心から外側に向かう方向に反った形状であり、取付溝１１２も内部で当該方向に向かって窪んでいる。そのため、取付溝１１２に案内される取付爪１２２は、取付溝１１２の入口を通過する際に弾性変形するが、通過後には元に戻り、取付溝１１２内の窪みに係止される。
【００１４】
アーム部１３は、台座部１１と一体的に成形されており、台座部１１の反対側が開口している双腕状の形状である。なお、アーム部１３は、図示するような双腕状の形状に限られるものではなく、ユーザの指に装着可能な形状であれば、環状や螺旋状などどのような形状であってもよい。また、アーム部１３は、台座部１１に接合されていてもよい。
【００１５】
図２〜４は、収納物２が台座部１１と上蓋部１２により挟持された指輪１の上面図及び側面図である。なお、図２〜４では、指輪１及び収納物２の構造を分かり易く表示するために、収納物２に斜線のハッチングを付して表示している。
【００１６】
図２に示すように、収納物２は、略半球状である収納物２の頂部及びその周辺部分が開口部１２５から視認可能となっており、その余の部分が台座部１１及び上蓋部１２によって挟持されている。上蓋部１２は、裏面Ｂの反対側の面である表面Ｓに、周囲よりも突出した凸部１２６が設けられている。この凸部１２６の内側に、収容部１２１及び開口部１２５が形成されている。
【００１７】
凸部１２６は、上蓋部１２が台座部１１の上面Ｔに取り付けられた状態で、上面Ｔに対して垂直な方向に凹部１１１を投影した形状である。換言すると、図２に示す上面図において、凸部１２６の紙面裏側方向に、凸部１２６と重なるように凹部１１１及び収納物２が位置する。そのため、ユーザは、上蓋部１２によって収納物２の一部が見えなくなったとしても、凸部１２６を見るまたは凸部１２６を触ることにより、収納物２の外形を認識することができる。
【００１８】
凸部１２６における開口部１２５の周辺の表面には、略円形の葉状または鱗状である突片１２７が複数形成されている。これにより、開口部１２５の内周に複数の凹凸が設けられるとともに、開口部１２５の周囲の表面にも複数の凹凸が設けられている。開口部１２５は、内周に複数の凹凸が設けられているが、全体の形状としては略ハート形である。この突片１２７が形成する凹凸は、指輪１の意匠性を向上させるだけでなく、ユーザが指輪１を手で触った際に、当該ユーザが指輪１と収納物２の境界及び収納物２の触感を認識し易くする。また、図３及び図４に示すように、突片１２７は、挟持された収納物２の表面に沿って、開口部１２５の中心に向かって傾斜している。
【００１９】
図３及び図４に示すように、指輪１は、収納物２が台座部１１と上蓋部１２により挟持された状態で、収納物２の一部が開口部１２５から突出するように構成されている。具体的には、略半球状である収納物２の頂部及びその周辺部分が開口部１２５から突出している。このように、開口部１２５から収納物２の一部が突出していると、ユーザは、上蓋部１２の表面Ｓに指を軽く沿わせるだけで、容易に収納物２に触れることができる。
【００２０】
図４に示すように、指輪１は、台座部１１に上蓋部１２が取り付けられると、引掛部１１３，１２３が隣接するように構成されている。ユーザが、引掛部１１３，１２３に爪等を入れて上蓋部１２を押し上げると、取付爪１２２の係止状態が解除される。これにより、図１に示したような台座部１１の上面Ｔから上蓋部１２が取り外された状態になり、収納物２が取り外し可能になる。
【００２１】
以上のように、指輪１は、台座部１１と上蓋部１２で収納物２を挟持することで収納物２を装着するため、取付用部材等を別途必要とすることなく、容易に収納物２の着脱をすることができる。さらに、収納物が着脱自在な指輪においては、収納物を指輪に着脱する際における収納物の紛失が極めて重要な問題となるが、指輪１では、平面である収納物２の底面２１を、同じく平面である台座部１１の上面Ｔにおける凹部１１１の周囲に仮置きすることさえできれば、台座部１１の上面Ｔの上で収納物２をスライドさせて凹部１１１に嵌め込むことができるため、収納物２が落下して紛失することを防止することができる。また、指輪１は、開口部１２５から収納物２が視認可能であり、ユーザはレンズなどを介することなく収納物２を直接的に見ることができるため、収納物２を身近に感じることができる。
【００２２】
また、ユーザは、開口部１２５から突出した収納物２に触れることができる。そのため、ユーザは、収納物２をさらに身近に感じることができるとともに、お守りのように収納物２に直接触れて気分を落ち着ける等といった使い方も可能である。
【００２３】
また、指輪１は、収納物２の底面２１が凹部１１１に嵌合することで、台座部１１及び上蓋部１２によって収納物２を緩く挟持するだけでも、収納物２を動き難くすることができる。したがって、指輪１は、台座部１１及び上蓋部１２から収納物２に対して破損等が懸念されるような過度な力が加えられる構造でなくても、収納物２を十分に固定することができる。
【００２４】
また、指輪１は、上蓋部１２に凸部１２６及び突片１２７が形成されているため、ユーザに収納物２の外形や触感を認識させ易くすることができる。したがって、ユーザは収納物２をさらに身近に感じることができる。
【００２５】
なお、図１では、１つの収納物２しか図示していないが、形状が同じでその他の外見上の特徴（色、透明度、屈折率、素材、内包物など）が異なる複数の収納物２を用意すれば、ユーザは、日々の気分や占いの結果等に応じて、指輪１に装着する収納物２を選択することができる。また、底面２１は同じ形状であるが、開口部１２５から突出する部分の形状が異なる複数の収納物２を用意すれば、収納物を交換することによって、開口部１２５から突出する収納物２の形状を異ならせることが可能である。
【００２６】
［変形等］
以上、上述した実施形態は本発明を実施するための例示に過ぎない。よって、本発明は上述した実施形態に限定されることなく、その趣旨を逸脱しない範囲内で上述した実施形態を適宜変形して実施することが可能である。
【００２７】
例えば、上述した実施形態は、台座部１１及び上蓋部１２がヒンジ部１１４，１２４で連結されている構造であるが、ヒンジ部１１４，１２４を設けない構造としてもよい。例えば、台座部１１に複数の取付溝１１２を設けるとともに、これに対応する複数の取付爪１２２を上蓋部１２に設けて、取付溝１１２及び取付爪１２２のみで上蓋部１２を台座部１１の上面Ｔに取付可能な構造にしてもよい。また例えば、台座部１１の側面に、上蓋部１２の表面Ｓに係止される爪等を備えたり、上蓋部１２の側面に、台座部１１の上面Ｔとは反対側の面に係止される爪等を備えたりすることで、台座部１１の上面Ｔに対して上蓋部１２を取付可能にしてもよい。また例えば、台座部１１の裏面Ｂ及び上蓋部１２の上面Ｔのそれぞれに極の異なる磁石を設けることによって、台座部１１の上面Ｔに対して上蓋部１２を取付可能にしてもよい。ただし、台座部１１及び上蓋部１２がヒンジ部１１４，１２４で連結された構造にすることで、上蓋部１２が台座部１１と離れて紛失することを防止することができる。また、台座部１１に取付溝１１２を設け、上蓋部１２に取付爪１２２を設けた場合、収納物２を台座部１１の上面Ｔに仮置きしてスライドする際に、上蓋部１２を台座部１１に取り付けるための留め具がその邪魔をしないため、容易に収納物２を凹部１１１に嵌め込むことができる。さらに、上蓋部１２が台座部１１の上面Ｔに取り付けられた状態で、取付爪１２２及び取付溝１１２が隠れた状態になるようにすれば、これらの存在を考慮せずに指輪１のデザインを決めることができる。
【００２８】
また、上述した実施形態は、台座部１１の上面Ｔに凹部１１１が設けられているが、凹部１１１が設けられていなくてもよい。さらに、上述した実施形態は、収容部１２１の内周面が収納物２に沿った形状であり、収納物２を面で挟持する構造であるが、収容部１２１内の１点または数点が収納物２に接触する構造であってもよいし、収容部１２１の内部にゴム等の弾性体を設けて当該弾性体が収納物２に押圧されるようにしてもよい。これらのような構造であっても、台座部１１及び上蓋部１２で収納物２を挟持することが可能である。また、これらのような構造であれば、形状が異なる複数の収納物を選択的に指輪に装着することが可能になる。
【００２９】
また、上述した実施形態は、収納物２、台座部１１及び上蓋部１２のそれぞれの上面視の形状が相似のハート形であり、開口部１２５も凹凸はあるものの略ハート形であり、統一的な形状（モチーフ）を有しているが、これらをダイヤ形や星形など他のモチーフにしてもよい。また、収納物２、台座部１１、上蓋部１２及び開口部１２５の少なくとも１つが、他とは異なるモチーフであってもよい。なお、上述した実施形態では、収納物２の底面２１及び凹部１１１の形状が、嵌め込み可能な角度が１通りしか存在しない１回対称形（回転対称の形のうち、３６０度回転させて初めて元の図形と一致する形。例えば、ハート形、スペード形、クラブ形など。）であっても、収納物２の底面２１を凹部１１１の周囲に仮置きした状態角度を揃えることができるため、容易に嵌め込むことができるとともに収納物２が落下して紛失することを防止することができる。また、図１及び図２に示したように、台座部１１の上面Ｔと凹部１１１の上面視の形状が相似であり、それぞれの外心（外接円の中心）が共通するようにすると、凹部１１１の全周において収納物２を仮置きすることができるため、収納物２を容易に凹部１１１に嵌め込むことができる。さらに、図１及び図２に示したように、上面Ｔの面積が凹部１１１の面積の２倍以上（さらに好ましくは相似比１：１．５の場合である２．２５倍以上）であると、台座部１１の上面Ｔにおける凹部１１１を除いた部分の面積、即ち収納物２を仮置き可能な部分の面積が収納物２の底面２１の面積以上となるため、収納物２を容易に仮置きして凹部１１１に嵌め込むことができる。
【００３０】
また、本発明の実施形態として指輪を例示して説明したが、本発明は、イヤリング、ネックレス等のチャーム部分や、ベルトのバックル部分、ブレスレットなど、指輪以外の装身具にも適用可能である。
【００３１】
また、上述した指輪１は、以下のように説明することができる。
【００３２】
指輪は、上面に収納物が載置される台座部と、前記台座部の前記上面に対して着脱自在に取り付けられるとともに開口部を有する上蓋部と、を備え、前記収納物は、底面が平面であり、前記上蓋部が前記台座部の前記上面に取り付けられた状態で、前記開口部から前記収納物が視認可能になるとともに、当該収納物が前記台座部と前記上蓋部により挟持され、前記台座部は、前記上面に、前記収納物の底面に嵌合して底が平面である凹部が設けられており、前記上面における当該凹部の周囲が平面である（第１の構成）。この構成によれば、台座部と上蓋部で収納物を挟持するだけで収納物を装着可能であるため、収納物を容易に着脱することができる。さらに、収納物が着脱自在な指輪においては、収納物を指輪に着脱する際における収納物の紛失が極めて重要な問題となるが、上記構成によれば、平面である収納物の底面を、同じく平面である台座部の上面における凹部の周囲に仮置きすることさえできれば、台座部の上面の上で収納物をスライドさせて凹部に嵌め込むことができるため、収納物が落下して紛失することを防止することができる。また、ユーザが、開口部から収納物を直接視認することができるため、収納物を身近に感じることができる。
【００３３】
第１の構成において、前記収納物が前記台座部と前記上蓋部とにより挟持された状態で、当該収納物の一部が前記開口部から突出してもよい（第２の構成）。この構成によれば、ユーザが、上蓋部の表面に指を軽く沿わせるだけで、容易に開口部から突出した収納物に触れることができるため、収納物をさらに身近に感じることができる。
【００３４】
第１または第２の構成において、前記上蓋部が前記台座部の前記上面に取り付けられた状態で、前記上面に対して垂直な方向に前記凹部を投影した形状である凸部が、前記上蓋部の表面に設けられていてもよい（第３の構成）。この構成によれば、ユーザは、上蓋部によって収納物の一部が見えなくなったとしても、凸部を見るまたは凸部を触ることにより、収納物の外形を認識することができる。したがって、ユーザは収納物をさらに身近に感じることができる。
【００３５】
第１〜第３のいずれか１つの構成において、前記上蓋部は、前記開口部の内周に複数の凹凸が設けられているとともに、前記開口部の周囲の表面に複数の凹凸が設けられていてもよい（第４の構成）。この構成によれば、指輪に触れるユーザに対して、指輪と収納物との境界を認識させ易くすることができるため、収納物の触感を認識させ易くすることができる。したがって、ユーザは収納物をさらに身近に感じることができる。
【００３６】
第１〜第４のいずれか１つの構成において、前記上蓋部における前記上面と対向する面に取付爪が設けられ、前記上面に前記取付爪が係止される取付溝が設けられており、前記取付溝は前記収納物の底面よりも小さく、前記上面における前記凹部及び前記取付溝を除いた部分が平面であってもよい（第５の構成）。この構成によれば、収納物を台座部の上面に仮置きしてスライドする際に、上蓋部を台座部に取り付けるための留め具がその邪魔をしないため、容易に収納物を凹部に嵌め込むことができる。
【００３７】
第５の構成において、前記上蓋部が前記台座部の前記上面に取り付けられた状態で、前記取付爪及び前記取付溝が隠れた状態になってもよい（第５の構成）。この構成によれば、取付爪及び取付溝が指輪のデザインに影響しないため、これらの存在を考慮せずに指輪のデザインを決めることができる。
【００３８】
第１〜第６のいずれか１つの構成において、前記収納物の底面及び前記凹部の底が１回対称形であってもよい（第７の構成）。この構成によれば、収納物の底面及び凹部の底の形状が、嵌め込み可能な角度が１通りしか存在しない１回対称形であっても、収納物の底面を凹部の周囲に仮置きした状態で角度を揃えることができるため、容易に嵌め込むことができるとともに収納物が落下して紛失することを防止することができる。
【００３９】
第１〜第７のいずれか１つの構成において、前記台座部の前記上面と前記凹部は、上面視の形状が相似であるとともにそれぞれの外心の位置が共通してもよい（第８の構成）。この構成によれば、凹部の全周において収納物を仮置きすることができるため、収納物を容易に凹部に嵌め込むことができる。さらに、第８の構成において、前記上面の面積が前記凹部の面積の２倍以上であってもよい（第９の構成）。この構成によれば、上面における凹部を除いた部分の面積、即ち収納物を仮置き可能な部分の面積が収納物の底面以上となるため、収納物を容易に仮置きして凹部に嵌め込むことができる。
【符号の説明】
【００４０】
１…指輪、１１…台座部、１１１…凹部、１１１１…底、１１２…取付孔、１１３…引掛部、１１４…ヒンジ部、１２…上蓋部、１２１…収容部、１２２…取付爪、１２３…引掛部、１２４…ヒンジ部、１２５…開口部、１２６…凸部、１２７…突片、１３…アーム部、２…収納物、２１…底面、Ｔ…上面、Ｂ…裏面、Ｓ…表面
【要約】
【課題】収納物を容易に着脱することができるとともに、当該収納物を身近に感じることが可能な指輪を提供する。
【解決手段】指輪１は、上面に収納物２が載置される台座部１１と、台座部１１の上面Ｔに対して着脱自在に取り付けられるとともに開口部１２５を有する上蓋部１２とを備える。収納物２は、底面が平面であり、上蓋部１２が台座部１１の上面Ｔに取り付けられた状態で、開口部１２５から収納物２が視認可能になるとともに、収納物２が台座部１２と上蓋部１１により挟持される。台座部１１は、上面Ｔに、収納物２の底面２１に嵌合して底１１１１が平面である凹部１１１が設けられており、上面Ｔにおける凹部１１１の周囲が平面である。
【選択図】図１【図１】
0006964318.tif 000002
【図２】
0006964318.tif 000003
【図３】
0006964318.tif 000004
【図４】
0006964318.tif 000005